(57)【要約】【課題】更なる低床化が可能な排水構造及びサイホン排水システムを提供する。【解決手段】排水構造１６は、排水が、貯水後に排水される溜め流し排水となる浴槽１１（第１の水廻り器具）と、排水が、貯水のない連続排水となる洗い場１２（第２の水廻り器具）と、浴槽１１の排水部４１に設けられた第１排水トラップ２１と、洗い場１２の排水部４２に設けられた第２排水トラップ２２と、第１排水トラップ２１の下流側部位と第２排水トラップ２２の下流側部位とを接続し、管路が浴槽１１及び洗い場１２が設置される浴室３４（部屋）の外に配置された第１バイパス管１８と、第１排水トラップ２１及び第１バイパス管１８の下流側に接続された第１サイホン排水管３１と、第２排水トラップ２２及び第１バイパス管１８の下流側に接続された第２サイホン排水管３２と、を有する。【選択図】図１
2020029709.tif 000002
【特許請求の範囲】
【請求項１】
排水が、貯水後に排水される溜め流し排水となる第１の水廻り器具と、
排水が、貯水のない連続排水となる第２の水廻り器具と、
前記第１の水廻り器具の排水部に設けられた第１排水トラップと、
前記第２の水廻り器具の排水部に設けられた第２排水トラップと、
前記第１排水トラップの下流側部位と前記第２排水トラップの下流側部位とを接続し、管路が前記第１の水廻り器具及び前記第２の水廻り器具が設置される部屋の外に配置された第１バイパス管と、
前記第１排水トラップ及び前記第１バイパス管の下流側に接続された第１サイホン排水管と、
前記第２排水トラップ及び前記第１バイパス管の下流側に接続された第２サイホン排水管と、
を有する排水構造。
【請求項２】
前記第１バイパス管に吸気弁が設けられた請求項１に記載の排水構造。
【請求項３】
前記吸気弁は、前記部屋の壁の内部に設けられている請求項２に記載の排水構造。
【請求項４】
前記吸気弁は、前記部屋の天井の裏に設けられている請求項２に記載の排水構造。
【請求項５】
前記部屋の壁又は天井には、点検口が設けられ、
前記吸気弁は、前記点検口に対応する位置に設けられている請求項３又は請求項４に記載の排水構造。
【請求項６】
前記第１バイパス管の前記管路の少なくとも一部が前記第１排水トラップ及び前記第２排水トラップの双方よりも上方に位置する請求項１〜請求項４の何れか１項に記載の排水構造。
【請求項７】
前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する請求項１〜請求項６の何れか１項に記載の排水構造。
【請求項８】
建物の上下方向に配設される排水立て管と、
請求項１〜請求項７の何れか１項に記載の排水構造と、を有し、
前記第１サイホン排水管及び前記第２サイホン排水管は、排水を横方向へ流す横引き管と、前記排水立て管に接続され前記横引き管からの排水を下方へ流す竪管とをそれぞれ有するサイホン排水システム。
【発明の詳細な説明】
【技術分野】
【０００１】
本発明は、排水構造及びサイホン排水システムに関する。
【背景技術】
【０００２】
特許文献１には、浴槽や洗い場等の水廻り器具と、サイホン排水管との間に、排水の一時貯留槽が接続された排水システムが開示されている。この一時貯留槽は、スラブと床面との間の床下空間に配置されている。また、浴槽の排水管は、洗い場の排水トラップに接続されており、浴槽の水は、洗い場の排水管を通じて排水されるようになっている。
【先行技術文献】
【特許文献】
【０００３】
【特許文献１】特許第４９２７４５０号公報
【発明の概要】
【発明が解決しようとする課題】
【０００４】
浴槽からの排水時、浴槽の水は溜め流し排水となるため、大量の排水が排水管に流れることとなる。サイホン排水管は、配管の径が従来の勾配配管よりも小さいため、サイホン排水管にサイホン力が発生するまで、浴槽からの排水が洗い場の排水トラップを通じて洗い場へ溢れるおそれがある。このため、上記した従来例のような一時貯留槽が考案されている。
【０００５】
しかしながら、一時貯留槽の容量確保のため、一時貯留槽にはある程度の高さが必要であり、この高さに応じて床下空間を確保する必要がある。このため、一時貯留槽を設ける場合には低床化が難しかった。
【０００６】
本発明は、更なる低床化が可能な排水構造及びサイホン排水システムを提供することを目的とする。
【課題を解決するための手段】
【０００７】
第１の態様に係る排水構造は、排水が、貯水後に排水される溜め流し排水となる第１の水廻り器具と、排水が、貯水のない連続排水となる第２の水廻り器具と、前記第１の水廻り器具の排水部に設けられた第１排水トラップと、前記第２の水廻り器具の排水部に設けられた第２排水トラップと、前記第１排水トラップの下流側部位と前記第２排水トラップの下流側部位とを接続し、管路が前記第１の水廻り器具及び前記第２の水廻り器具が設置される部屋の外に配置された第１バイパス管と、前記第１排水トラップ及び前記第１バイパス管の下流側に接続された第１サイホン排水管と、前記第２排水トラップ及び前記第１バイパス管の下流側に接続された第２サイホン排水管と、を有する。
【０００８】
第１の水廻り器具からの排水は、貯水後に排水される溜め流し排水となるため、第２の水廻り器具からの排水と比較して、多くの排水が一度に排水される。第１サイホン排水管にサイホン力が発生するまで、余剰の排水は第１バイパス管に流入する。第１バイパス管内の空気は、排水の流入に伴い第２排水トラップ側へ押し出される。第１サイホン排水管にサイホン力が発生すると、第１の水廻り器具からの排水及び第１バイパス管に流入していた排水が、第１サイホン排水管を通じて速やかに排出される。
【０００９】
一方、第２の水廻り器具からの排水は、貯水のない連続排水となる。管路内の空気は、第１バイパス管を通じて第１排水トラップ側へ押し出されるので、第２の水廻り器具からの排水がスムーズに行われる。第２サイホン排水管にサイホン力が発生すると、第２の水廻り器具からの排水が、第２サイホン排水管を通じて速やかに排出される。
【００１０】
このように、この排水構造によれば、第１の水廻り器具と第２の水廻り器具との間での空気の融通が生じるため、排水がスムーズに流れる。したがって、従来のような一時貯留槽を用いなくても、第１の水廻り器具からの溜め流し排水が第２の水廻り器具へ溢れることを抑制できる。
【００１１】
また、第１バイパス管が、第１の水廻り器具及び第２の水廻り器具が設置される部屋の外に配置されるので、第１バイパス管を設置し易い。更に、第１バイパス管が部屋の外にあるため、第１バイパス管の容量をより大きく確保できる。このため、第１バイパス管が、滞留する排水の逃げ道になり得る。
【００１２】
第２の態様は、第１の態様に係る排水構造において、前記第１バイパス管に吸気弁が設けられている。
【００１３】
この排水構造では、第１サイホン排水管にサイホン力が発生した際、第１の水廻り器具からの排水及び第１バイパス管に流入していた排水が、第１サイホン排水管を通じて速やかに排出される。この際、吸気弁から第１バイパス管に外気が取り込まれるので、第２排水トラップの封水が破られることはない。
【００１４】
同様に、第２サイホン排水管にサイホン力が発生した際、第２の水廻り器具からの排水が、第２サイホン排水管を通じて速やかに排出されるが、吸気弁から第１バイパス管に外気が取り込まれるので、第１排水トラップの封水が破られることはない。
【００１５】
第３の態様は、第２の態様に係るサイホン排水システムにおいて、前記吸気弁が、前記部屋の壁の内部に設けられている。
【００１６】
この排水構造では、吸気弁が部屋の壁の内部に設けられているので、壁の内部のスペースを有効に利用することができる。換言すれば、吸気弁を設けるためのスペースを追加的に設ける必要がないので、該スペースが邪魔にならない。
【００１７】
第４の態様は、第２の態様に係るサイホン排水システムにおいて、前記吸気弁が、前記部屋の天井の裏に設けられている。
【００１８】
この排水構造では、吸気弁が部屋の天井の裏に設けられているので、該天井の裏のスペースを有効に利用することができる。換言すれば、吸気弁を設けるためのスペースを追加的に設ける必要がないので、該スペースが邪魔にならない。
【００１９】
第５の態様は、第３の態様又は第４の態様に係るサイホン排水システムにおいて、前記部屋の壁又は天井に点検口が設けられ、前記吸気弁が、前記点検口に対応する位置に設けられている。
【００２０】
この排水構造では、吸気弁が点検口に対応する位置に設けられているので、吸気弁のメンテナンスを、点検口を通じて容易に行うことができる。
【００２１】
第６の態様は、第１〜第４の態様の何れか１態様に係る排水構造において、前記第１バイパス管の前記管路の少なくとも一部が前記第１排水トラップ及び前記第２排水トラップの双方よりも上方に位置する。
【００２２】
このサイホン排水システムでは、第１バイパス管の管路の少なくとも一部が、第１排水トラップ及び第２排水トラップの双方よりも上方に位置するので、第１バイパス管に流入した排水は第２排水トラップ側には流れ難い。つまり、第１排水トラップ側と第２排水トラップ側との間での越流が生じ難い。
【００２３】
第７の態様に係るサイホン排水システムは、第１〜第６の態様の何れか１態様に係るサイホン排水システムにおいて、前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する。
【００２４】
このサイホン排水システムでは、第２の水廻り器具からの排水が第２排水トラップに入りきらずに満水になるような場合でも、余剰の排水は第２バイパス管を通って第１サイホン排水管へ流れて行く。
【００２５】
第８の態様に係るサイホン排水システムは、建物の上下方向に配設される排水立て管と、第１〜第７の態様の何れか１態様に係る排水構造と、を有し、前記第１サイホン排水管及び前記第２サイホン排水管は、排水を横方向へ流す横引き管と、前記排水立て管に接続され前記横引き管からの排水を下方へ流す竪管とをそれぞれ有する。
【００２６】
このサイホン排水システムでは、第１サイホン排水管が有する横引き管及び竪管を通じて、第１の水廻り器具からの排水を排水立て管へ流すことができる。また、このサイホン排水システムでは、第２サイホン排水管が有する横引き管及び竪管を通じて、第２の水廻り器具からの排水を排水立て管へ流すことができる。
【発明の効果】
【００２７】
本発明に係る排水構造及びサイホン排水システムによれば、更なる低床化が可能なサイホン排水システムを提供することができる。
【図面の簡単な説明】
【００２８】
【図１】第１実施形態に係るサイホン排水システムの概要を示す断面図である。
【図２】第１実施形態に係る排水構造を示す斜視図である。
【図３】第１実施形態に係る排水構造において、浴槽からの排水時の初期段階を示す断面図である。
【図４】サイホン力発生後の排水状態を示す断面図である。
【図５】第１実施形態に係る排水構造において、洗い場からの排水状態を示す断面図である。
【図６】第２実施形態における排水構造を有するサイホン排水システムの概要を示す断面図である。
【図７】第３実施形態に係る排水構造を模式的に示す斜視図である。
【図８】第４実施形態に係る排水構造を模式的に示す斜視図である。
【図９】第５実施形態に係る排水構造を模式的に示す斜視図である。
【図１０】参考例１に係る排水構造を模式的に示す斜視図である。
【図１１】参考例２に係る排水構造を模式的に示す斜視図である。
【図１２】第６実施形態に係る排水構造を示す断面図である。
【図１３】第７実施形態に係る排水構造を示す断面図である。
【発明を実施するための形態】
【００２９】
以下、本発明を実施するための形態を図面に基づき説明する。
【００３０】
［第１実施形態］
図１において、本実施形態に係るサイホン排水システム１０は、排水立て管１４と、排水構造１６とを有している。
【００３１】
排水立て管１４は、建物１５の床スラブ２４の貫通穴２５を貫通している。この排水立て管１４には、後述する竪管３１Ｂ，３２Ｂを連結する排水継手２８が設けられており、上部の排水立て管１４からの排水と、後述する浴槽１１や洗い場１２等の水廻り器具からの排水とを合流させるように構成されている。なお、図１では、管継手等、各配管の接続部分の構成が適宜省略及び簡略化されて示されている。
【００３２】
（排水構造）
排水構造１６は、第１の水廻り器具の一例たる浴槽１１と、第２の水廻り器具の一例たる洗い場１２と、第１排水トラップ２１と、第２排水トラップ２２と、第１バイパス管１８と、第１サイホン排水管３１と、第２サイホン排水管３２とを有している。
【００３３】
浴槽１１は、水２０を貯めて使用される水廻り器具の一例であり、排水が、貯水後に排水される溜め流し排水となる。洗い場１２は、水廻り器具の一例であり、排水が、貯水のない連続排水となる。浴槽１１と洗い場１２とは、図示されるように互いに一体であってもよく、また互いに別体であってもよい。
【００３４】
第１排水トラップ２１及び第２排水トラップ２２は、汚臭やガス等の逆流を防止するためのいわゆる封水式トラップである。第１排水トラップ２１は、浴槽１１の排水部４１に設けられている。第２排水トラップ２２は、洗い場１２の排水部４２に設けられている。
【００３５】
第１バイパス管１８は、第１排水トラップ２１の下流側部位の一例たる排水管５１と、第２排水トラップ２２の下流側部位の一例たる排水管５２とを接続する管体である。第１バイパス管１８は、浴槽１１及び洗い場１２が設置される部屋の一例としての浴室３４の外に配置されている。具体的には、第１バイパス管１８は、横管部１８Ｅ，１８Ｆと、縦管部１８Ａ，１８Ｂとを有している。横管部１８Ｅ，１８Ｆは、浴室３４の床下に配置されている。縦管部１８Ａ，１８Ｂは、浴室３４の壁３８の内部に配置されている。図２に示されるように、横管部１８Ｅは、第１排水トラップ２１と縦管部１８Ａとを接続している。また、横管部１８Ｆは、第２排水トラップ２２と縦管部１８Ｂとを接続している。第１バイパス管１８の縦管部１８Ａ，１８Ｂを壁３８の内部に設けることで、壁３８の内部のスペースを有効利用できる。
【００３６】
図３において、第１バイパス管１８における管路の少なくとも一部、例えば最上部１８Ｈは、第１排水トラップ２１及び第２排水トラップ２２の双方よりも上方に位置している。ここで、「第１排水トラップ２１及び第２排水トラップ２２の双方よりも上方」とは、第１排水トラップ２１の上面２１Ａより上方、かつ第２排水トラップ２２の上面２２Ａより上方を意味する。第１排水トラップ２１側の縦管部１８Ａの上端と、第２排水トラップ２２側の縦管部１８Ｂの上端とは、接続部１８Ｄにより、例えば水平方向に接続されている。縦管部１８Ａ，１８Ｂ及び接続部１８Ｄは、例えば逆Ｕ字形に形成されている。最上部１８Ｈとは、接続部１８Ｄの管路の底面であり、該底面が、第１排水トラップ２１及び第２排水トラップ２２の双方よりも上方に位置している。接続部１８Ｄにおける管路の底面の高さが一定でない場合には、最も高い位置が最上部１８Ｈとなる。なお、第１バイパス管１８の管路の少なくとも一部として、最上部１８Ｈを挙げたが、最上部１８Ｈ以外の部位が、第１排水トラップ２１及び第２排水トラップ２２の双方よりも上方に位置していてもよい。
【００３７】
排水管５１は、第１排水トラップ２１から横方向に延びる上横管部５１Ａと、縦管部１８Ａの下端から下方へ延びる縦管部５１Ｂと、縦管部５１Ｂの下端から横方向に延びる下横管部５１Ｃとを有している。同様に、排水管５２は、第２排水トラップ２２から横方向に延びる上横管部５２Ａと、縦管部１８Ｂの下端から下方へ延びる縦管部５２Ｂと、縦管部５２Ｂの下端から横方向に延びる下横管部５２Ｃとを有している。なお、排水管５１，５２の構成はこれに限られず、第１排水トラップ２１及び第２排水トラップ２２からそれぞれ排水可能な構成であればよい。
【００３８】
図３に示されるように、第１バイパス管１８には、吸気弁３０が設けられている。この吸気弁３０は、外部からの空気を第１バイパス管１８へ通過させると共に、第１バイパス管１８から外部へ排水及び空気を通過させないための部品である。吸気弁３０は、例えば第１バイパス管１８における接続部１８Ｄから上方に延びる延長部１８Ｃの上端に設けられている。また、延長部１８Ｃ及び吸気弁３０を縦管部１８Ｂの上方に設けてもよい。更に、吸気弁３０を「通気弁」と呼んでもよい。
【００３９】
吸気弁３０は、浴室３４の壁３８の内部に設けられている。具体的には、浴室３４の壁３８の例えば隣室３５側には、点検口４８が設けられている。壁３８の内部には、収容ボックス４４が設けられている。この収容ボックス４４は、点検口４８に対応する位置に設けられ、該点検口４８に開口している。収容ボックス４４には、第１バイパス管１８における接続部１８Ｄの一部と、延長部１８Ｃと、吸気弁３０とが収容されている。図１、図３に示されるように、点検口４８には、着脱可能な蓋部材５４が取り付けられている。蓋部材５４は、一般に「ルーバー」とも称される通気口部材である。これにより、点検口４８に蓋部材５４を取り付けた状態でも、吸気弁３０が外部からの空気を第１バイパス管１８へ取り込むことが可能となっている。
【００４０】
第１バイパス管１８における管路の最上部１８Ｈの高さ位置は、浴槽１１に貯められた水２０の標準的な水頭Ｈの高さ位置と同等以上であることが望ましい。水頭Ｈの基準は、例えば、浴槽１１の底である。標準的な水頭Ｈとは、人の入浴時に浴槽１１内に貯めるお湯の量に相当し、例えば人が浴槽１１内で座ったときに浴槽１１から溢れない程度のお湯の量に相当する。最上部１８Ｈは、第１バイパス管１８における縦管部１８Ａ，１８Ｂ間で越流が生じない最大の高さであり、接続部１８Ｄの底面の高さに相当する。
【００４１】
図２において、第１サイホン排水管３１は、第１排水トラップ２１及び第１バイパス管１８の下流側に接続されている。また、第２サイホン排水管３２は、第２排水トラップ２２及び第１バイパス管１８の下流側に接続されている。
【００４２】
具体的には、図１において、第１サイホン排水管３１は、排水管５１の下横管部５１Ｃの末端に接続されている。また、第１サイホン排水管３１は、排水を横方向へ流す横引き管３１Ａと、排水立て管１４に接続され横引き管３１Ａからの排水を下方へ流す竪管３１Ｂとを有している。また、第２サイホン排水管３２は、排水を横方向へ流す横引き管３２Ａと、排水立て管１４に接続され横引き管３２Ａからの排水を下方へ流す竪管３２Ｂとを有している。竪管３１Ｂ，３２Ｂの下端は、排水継手２８に接続されている。なお、図１において、第１サイホン排水管３１は、第２サイホン排水管３２の奥側に並列に配置されている。
【００４３】
（作用）
本実施形態は、上記のように構成されており、以下その作用について説明する。図３において、本実施形態に係る排水構造１６では、浴槽１１からの排水は、貯水後に排水される溜め流し排水となるため、洗い場１２からの排水と比較して、多くの排水が一度に排水される。浴槽１１からの排水は、第１排水トラップ２１を通って排水管５１の上横管部５１Ａ、縦管部５１Ｂ、下横管部５１Ｃを通じて、第１サイホン排水管３１へ流れて行く（矢印Ａ方向）。第１サイホン排水管３１においてサイホン力が発生するまで、余剰の排水は第１バイパス管１８に流入する（矢印Ｂ方向）。第１バイパス管１８内の空気は、排水の流入に伴い第２排水トラップ２２側へ押し出される（矢印Ｃ方向）。
【００４４】
第１バイパス管１８の縦管部１８Ａ，１８Ｂ及び接続部１８Ｄは逆Ｕ字形に形成されており、管路の最上部１８Ｈが第１排水トラップ２１及び第２排水トラップ２２の双方よりも上方に位置するので、第１バイパス管１８に流入した排水は第２排水トラップ２２側には流れ難い。特に、第１バイパス管１８における管路の最上部１８Ｈの高さ位置が、浴槽１１に貯められた水の標準的な水頭Ｈの高さ位置と同等である場合には、縦管部１８Ａから縦管部１８Ｂへの越流は生じ難い。なお、第２排水トラップ２２の封水が破られない程度の越流は、生じてもよい。
【００４５】
図４において、第１サイホン排水管３１にサイホン力が発生すると、浴槽１１からの排水及び第１バイパス管１８に流入していた排水が、第１サイホン排水管３１を通じて速やかに排出され（矢印Ａ方向）、浴槽１１の水位が低下して行く（矢印Ｄ方向）。このとき、吸気弁３０から第１バイパス管１８に外気が取り込まれるので（矢印Ｅ方向）、第２排水トラップ２２側に負圧が作用することが抑制される。このため、第２排水トラップ２２の封水が破られることはない。
【００４６】
このように、排水構造１６によれば、従来のような一時貯留槽を用いなくても、浴槽１１からの溜め流し排水が洗い場１２へ溢れることを抑制できる。
【００４７】
一方、図５において、洗い場１２からの排水は、貯水のない連続排水となる。洗い場１２からの排水は、第２排水トラップ２２を通って排水管５２の上横管部５２Ａ、縦管部５２Ｂ、下横管部５２Ｃを通じて、第２サイホン排水管３２へ流れて行く（矢印Ｆ方向）。第１バイパス管１８における管路内の空気は、第１バイパス管１８を通じて第１排水トラップ２１側へ押し出されるので（矢印Ｇ方向）、洗い場１２からの排水がスムーズに行われる。連続排水の場合には水頭が殆どないため、第１バイパス管１８の縦管部１８Ｂに排水が流入しない。第２サイホン排水管３２にサイホン力が発生すると、洗い場１２からの排水が、第２サイホン排水管３２を通じて速やかに排出される（矢印Ｆ方向）。このとき、洗い場１２のみからの排水であれば、第１バイパス管１８に負圧が生じることは殆どないが、浴槽１１との同時排水時など、第１バイパス管１８に負圧が生じた場合には、吸気弁３０から外気が取り込まれるので、第１排水トラップ２１及び第２排水トラップ２２の封水が破られることはない。
【００４８】
図１において、本実施形態に係るサイホン排水システム１０では、第１サイホン排水管３１が有する横引き管３１Ａ及び竪管３１Ｂを通じて、浴槽１１からの排水を排水立て管１４へ流すことができる。また、このサイホン排水システム１０では、第２サイホン排水管３２が有する横引き管３２Ａ及び竪管３２Ｂを通じて、洗い場１２からの排水を排水立て管１４へ流すことができる。
【００４９】
このように、本実施形態に係る排水構造１６及びサイホン排水システム１０によれば、従来のような一時貯留槽が不要となるので、溜め流し排水が行われる浴槽１１等の設置場所の更なる低床化が可能となる。
【００５０】
また、図１、図３に示されるように、吸気弁３０が、浴槽１１及び洗い場１２が設置される浴室３４の外に配置されるので、第１バイパス管１８を設置し易い。更に、第１バイパス管１８が浴室３４の外にあるため、第１バイパス管１８の容量をより大きく確保できる。このため、第１バイパス管１８が、滞留する排水の逃げ道になり得る。更に、第１バイパス管１８が浴室３４の外にあるため、防水が必要な浴室３４の床に第１バイパス管１８を貫通させる必要がない。
【００５１】
更に、吸気弁３０が浴室３４の壁３８の内部に設けられているので、壁３８の内部のスペースを有効に利用することができる。換言すれば、吸気弁３０を設けるためのスペースを追加的に設ける必要がないので、該スペースが邪魔にならない。また、吸気弁３０が点検口４８に対応する位置に設けられているので、吸気弁３０のメンテナンスを、点検口４８を通じて、浴室３４の例えば隣室３５側から容易に行うことができる。
【００５２】
［第２実施形態］
図６において、本実施形態に係る排水構造２６では、第１バイパス管１８が、浴室３４の外の一例としての床下、壁３８の内部及び天井３９の裏に設けられている。
具体的には、第１バイパス管１８は、下横管部１８Ｊ，１８Ｋと、縦管部１８Ａ，１８Ｂと、上横管部１８Ｌ，１８Ｍとを有している。下横管部１８Ｊ，１８Ｋは、浴室３４の床下に配置されている。縦管部１８Ａ，１８Ｂは、浴室３４の壁３８の内部に配置されている。そして、上横管部１８Ｌ，１８Ｍは、浴室３４の天井３９の裏に配置されている。
【００５３】
下横管部１８Ｊは、第１排水トラップ２１と縦管部１８Ａとを接続している。下横管部１８Ｋは、第２排水トラップ２２と縦管部１８Ｂとを接続している。上横管部１８Ｌは、縦管部１８Ａに接続され、上横管部１８Ｍは縦管部１８Ｂに接続されている。上横管部１８Ｌ，１８Ｍの端部同士は、接続部１８Ｄにより接続されている。図面では、接続部１８Ｄによる接続方向が鉛直方向に描かれているが、この接続方向は水平方向であってもよい。
【００５４】
接続部１８Ｄには、例えばエルボ型の延長部１８Ｎが設けられている。吸気弁３０は、浴室３４の天井３９の裏において、例えば延長部１８Ｎの先端に設けられている。より具体的には、浴室３４の天井３９には、点検口４８が設けられている。吸気弁３０は、点検口４８に対応する位置に設けられている。換言すれば、吸気弁３０は、点検口４８を開いたときに浴室３４側から点検や清掃等の保守作業が可能な位置に設けられている。
【００５５】
本実施形態によれば、吸気弁３０が浴室３４の天井３９の裏に設けられているので、該天井３９の裏のスペースを有効に利用することができる。換言すれば、吸気弁３０を設けるためのスペースを追加的に設ける必要がないので、該スペースが邪魔にならない。また、吸気弁３０が点検口４８に対応する位置に設けられているので、吸気弁３０のメンテナンスを、点検口４８を通じて容易に行うことができる。点検口４８は、浴室３４の天井３９に一般的に設けられているので、吸気弁３０のために新たな点検口を設ける必要がない。
【００５６】
［第３実施形態］
図７において、本実施形態に係る排水構造３６は、第１排水トラップ２１の下流側部位及び第２排水トラップ２２の下流側部位の少なくとも一方、例えば双方に、補助チャンバ７１，７２を有している。補助チャンバ７１は、第１排水トラップ２１の下流側部位に設けられている。補助チャンバ７２は、第２排水トラップ２２の下流側部位に設けられている。
【００５７】
補助チャンバ７１，７２は、例えば排水管５１，５２にそれぞれ設けられた大径部（内径拡大部）である。補助チャンバ７１，７２の高さ寸法は、従来の一時貯留槽よりも小さく設定されており、第１排水トラップ２１、第２排水トラップ２２及び排水管５１，５２の配置に必要な空間内に配置可能な大きさとされる。したがって、補助チャンバ７１，７２の設置のために床下空間を余分に必要とすることはない。
【００５８】
図示の例では、補助チャンバ７１，７２は何れも第１バイパス管１８の上流側に配置されているが、補助チャンバ７１，７２の何れか一方又は双方が、第１バイパス管１８の下流側に配置されていてもよい。
【００５９】
この排水構造３６では、補助チャンバ７１，７２により、第１バイパス管１８の容量を超えた余剰の排水を受け入れることができる。浴槽１１（図１）から汲み上げた水を洗い場１２（図１）で使用した場合、通常時よりも大量の水が洗い場１２から排出される。このような場合でも、補助チャンバ７１，７２で排水を受け入れることで、洗い場１２からの排水が滞ることを抑制できる。また、浴槽１１からの、より大量の溜め流し排水に対応することができる。
【００６０】
他の部分については、第１実施形態と同様であるので、同一の部分には図面に同一の符号を付し、説明を省略する。
【００６１】
［第４実施形態］
図８において、本実施形態に係る排水構造４６では、第１バイパス管１８に、吸気弁３０（図２）の代わりとなる通気管７４が接続されている。通気管７４は、例えば建物の屋外まで延び、末端７４Ａが大気に開放されている。
【００６２】
この排水構造４６では、吸気弁３０（図２）の代わりに通気管７４が設けられているので、吸気弁３０の配置スペースが不要となる。
【００６３】
第１サイホン排水管３１にサイホン力が発生した際、通気管７４から第１バイパス管１８に外気が取り込まれるので、第２排水トラップ２２の封水が破られることはない。第２サイホン排水管３２にサイホン力が発生した際にも、通気管７４から第１バイパス管１８に外気が取り込まれるので、第１排水トラップ２１の封水が破られることはない。
【００６４】
他の部分については、第１実施形態と同様であるので、同一の部分には図面に同一の符号を付し、説明を省略する。
【００６５】
［第５実施形態］
図９において、本実施形態に係る排水構造５６は、他の排水トラップ８３，８４と、サイホン排水管９３，９４と、個別通気管１０３，１０４と、ヘッダ８０と、合流通気管９０とを有している。
【００６６】
他の排水トラップ８３は、他の水廻り器具の一例たる洗濯機の排水部（図示せず）に対して設けられる。他の排水トラップ８４は、他の水廻り器具の一例たる洗面台に対して設けられる。他の排水トラップ８３，８４は、汚臭やガス等の逆流を防止するためのいわゆる封水式トラップである。
【００６７】
他の排水トラップ８３の下流側には、排水管１１３が接続されている。サイホン排水管９３は、排水管１１３の下流側に接続されている。また、他の排水トラップ８４の下流側には、排水管１１４が接続されている。サイホン排水管９４は、排水管１１４の下流側に接続されている。
【００６８】
個別通気管１０３は、一端が他の排水トラップ８３の下流側部位（排水管１１３）に接続されている。また、個別通気管１０４は、一端が他の排水トラップ８４の下流側部位（排水管１１４）に接続されている。個別通気管１０３，１０４の他端は、それぞれヘッダ８０に接続されている。
【００６９】
ヘッダ８０は、通気管７４及び個別通気管１０３，１０４が接続された管継手である。合流通気管９０は、ヘッダ８０に接続されると共に、大気に開放されている。具体的には、合流通気管９０は、例えば建物の屋外まで延び、末端９０Ａが大気に開放されている。
【００７０】
この排水構造５６では、吸気弁３０（図２）の代わりに通気管７４及び個別通気管１０３，１０４が設けられているので、吸気弁３０の配置スペースが不要となる。また、通気管７４及び個別通気管１０３，１０４をヘッダ８０に集合させ、合流通気管９０を通じて大気に開放する構成としている。したがって、通気管７４や個別通気管１０３，１０４をそれぞれ屋外まで延ばす必要がない。これにより、一括で吸排気ができると共に、通気管７４や個別通気管１０３，１０４を個々に大気に開放して配置する場合と比較して、部品点数を減らすことができる。
【００７１】
他の部分については、第１実施形態と同様であるので、同一の部分には図面に同一の符号を付し、説明を省略する。
【００７２】
［参考例１］
図１０において、本参考例に係る排水構造６６では、第１排水トラップ２１から延びる排水管５１の下流側に、第１サイホン排水管３１が接続されている。また、第２排水トラップ２２から延びる排水管５２の下流側に、第２サイホン排水管３２が接続されている。つまり、第１排水トラップ２１からの排水経路と、第２排水トラップ２２からの排水経路とが、互いに独立している。
【００７３】
したがって、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００７４】
他の部分については、第１実施形態と同様であるので、同一の部分には図面に同一の符号を付し、説明を省略する。
【００７５】
［参考例２］
図１１において、本参考例に係る排水構造７６は、参考例１において、吸気弁１１１，１１２が更に設けられている。排水管５１には、上方に延びる分岐管１２１が接続されている。吸気弁１１１は、該分岐管１２１の上端に設けられている。また、排水管５２には、上方に延びる分岐管１２２が接続されている。また、吸気弁１１２は、該分岐管１２２の上端に設けられている。吸気弁１１１，１１２の構成は、第１実施形態の吸気弁３０と同様である。
【００７６】
本参考例では、参考例１と同様に、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００７７】
排水管５１に吸気弁１１１が追加されているので、第１排水トラップ２１からの排水時には、吸気弁１１１から外気が取り込まれる。また、排水管５２に吸気弁１１２が追加されているので、第２排水トラップ２２からの排水時には、吸気弁１１２から外気が取り込まれる。したがって、第１排水トラップ２１からの排水、及び第２排水トラップ２２からの排水が、何れも流れ易くなる。
【００７８】
他の部分については、第１実施形態又は参考例１と同様であるので、同一の部分には図面に同一の符号を付し、説明を省略する。
【００７９】
［第６実施形態］
図１２において、本実施形態に係る排水構造８６は、第２バイパス管２１８を有している。この第２バイパス管２１８は、第１バイパス管１８の最上部より低い位置において第１バイパス管１８における第１排水トラップ２１側と第２排水トラップ２２側とを接続している。第２バイパス管２１８における管路の底面は、第２排水トラップ２２の上面２２Ａよりも低く配置されている。また、第２バイパス管２１８における管路の底面は、排水管５２の上横管部５２Ａの底面５２Ｄよりも高く配置されている。
【００８０】
第２バイパス管２１８は、例えば横方向に延びている。なお、第２バイパス管２１８は、水平方向に対して傾斜したり、湾曲していたりしてもよい。このように、第２バイパス管２１８における管路の底面の高さが一定でない場合には、底面のうち最も高い位置が、第２排水トラップ２２の上面２２Ａよりも低く、上横管部５２Ａの底面５２Ｄよりも高く配置されている。
【００８１】
第１バイパス管１８における例えば接続部１８Ｄには、第１逆止弁１９が設けられている。第１逆止弁１９は、第２排水トラップ２２側から第１排水トラップ２１側への流れを許容し、その反対側の流れを許容しないように構成されている。なお、第１逆止弁１９の位置は接続部１８Ｄに限られず、例えば縦管部１８Ｂに設けられていてもよい。また、第１逆止弁１９は、第１排水トラップ２１側から第２排水トラップ２２側への流れをある程度許容する構成であってもよい。
【００８２】
第２バイパス管２１８には、第２逆止弁２１９が設けられている。第２逆止弁２１９は、第２排水トラップ２２側から第１排水トラップ２１側への流れを許容し、その反対側の流れを許容しないように構成されている。なお、第２逆止弁２１９は、第１排水トラップ２１側から第２排水トラップ２２側への流れをある程度許容する構成であってもよい。
【００８３】
洗い場１２からの排水が第２排水トラップ２２に入りきらずに満水になるような場合でも、本実施形態によれば、余剰の排水は第２バイパス管２１８を通って排水管５１の縦管部５１Ｂ、下横管部５１Ｃを通じて、第１サイホン排水管３１（図１）へ流れて行く（矢印Ｈ方向）。本実施形態では、第２バイパス管２１８における管路の底面が、排水管５２の上横管部５２Ａの底面５２Ｄよりも高く配置されている。したがって、洗い場１２からの排水が常に第２バイパス管２１８へ流れることはなく、第２サイホン排水管３２が速やかに満流になるので、サイホン起動が遅くなることはない。
【００８４】
また、本実施形態では、第２バイパス管２１８における管路の底面が、第２排水トラップ２２の上面２２Ａよりも低く配置されている。したがって、第２排水トラップ２２から排水が溢れそうな場合に第２バイパス管２１８へ排水が流れるので、排水が第２排水トラップ２２から溢れることを抑制できる。
【００８５】
更に、第２バイパス管２１８に第２逆止弁２１９が設けられているので、第２バイパス管２１８を通じた第１排水トラップ２１側から第２排水トラップ２２側への流れが抑制される。また、第１バイパス管１８の接続部１８Ｄに第１逆止弁１９が設けられているので、浴槽１１からの排水時に、第１バイパス管１８を通じた第１排水トラップ２１側から第２排水トラップ２２側への流れ、つまり縦管部１８Ａから縦管部１８Ｂへの越流がより一層生じ難くなる。
【００８６】
他の部分については、第１実施形態と同様であるので、同一の部分には図面に同一の符号を付し、説明を省略する。
【００８７】
［第７実施形態］
図１３において、本実施形態に係る排水構造９６は、第６実施形態における第１バイパス管１８の第１逆止弁１９を省略した構成とされている。第１バイパス管１８では、第１実施形態で述べたように、最上部１８Ｈの高さの設定を適切に行うことにより、第１バイパス管１８における縦管部１８Ａ，１８Ｂ間で越流が生じないようにできる。したがって、本実施形態のように第１逆止弁１９を省略することで、構成を簡素化し、低コスト化が可能となる。
【００８８】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００８９】
第１の水廻り器具の一例として浴槽１１を挙げたが、第１の水廻り器具は、洗濯機等、排水が溜め流しとなる器具であってもよい。また、第２の水廻り器具の一例として洗い場１２を挙げたが、第２の水廻り器具は、洗面台、台所、食洗機等、排水が連続排水となる器具であってもよい。
【００９０】
第１バイパス管１８が接続される第１排水トラップ２１の下流側部位の一例として、排水管５１を挙げたが、下流側部位はこれに限られない。同様に、第１バイパス管１８が接続される第２排水トラップ２２の下流側部位の一例として、排水管５２を挙げたが、下流側部位はこれに限られない。例えば、第１バイパス管１８を第１排水トラップ２１及び第２排水トラップ２２の少なくとも一方に直接接続してもよい。
【００９１】
第１バイパス管１８に吸気弁３０が設けられるものとしたが、第１排水トラップ２１や第２排水トラップ２２の封水が破られることがなければ、吸気弁３０を省略してもよい。
【００９２】
部屋の一例として浴室３４を挙げたが、第１の水廻り器具や第２の水廻り器具が設置される部屋は浴室３４に限られず、洗面台や設置される洗面室や、洗濯機が設置される洗濯室等であってもよい。
【符号の説明】
【００９３】
１０…サイホン排水システム、１１…浴槽（第１の水廻り器具）、１２…洗い場（第２の水廻り器具）、１４…排水立て管、１６…排水構造、１８…第１バイパス管、１８Ｈ…最上部（管路の少なくとも一部）、２１…第１排水トラップ、２２…第２排水トラップ、２６…排水構造、３０…吸気弁、３１…第１サイホン排水管、３１Ａ…横引き管、３１Ｂ…竪管、３２…第２サイホン排水管、３２Ａ…横引き管、３２Ｂ…竪管、３４…浴室（部屋）、３６…排水構造、３８…壁、３９…天井、４１…浴槽の排水部、４２…洗い場の排水部、４６…排水構造、４８…点検口、５１…排水管（第１排水トラップの下流側部位）、５２…排水管（第２排水トラップの下流側部位）、７１…補助チャンバ、７２…補助チャンバ、８６…排水構造、９６…排水構造、２１８…第２バイパス管
【図１】
2020029709.tif 000003
【図２】
2020029709.tif 000004
【図３】
2020029709.tif 000005
【図４】
2020029709.tif 000006
【図５】
2020029709.tif 000007
【図６】
2020029709.tif 000008
【図７】
2020029709.tif 000009
【図８】
2020029709.tif 000010
【図９】
2020029709.tif 000011
【図１０】
2020029709.tif 000012
【図１１】
2020029709.tif 000013
【図１２】
2020029709.tif 000014
【図１３】
2020029709.tif 000015